(57)【要約】【課題】本発明は、脚部の前傾姿勢を基本にすることの多いスポーツを行う際に、足の形状とその動き、働きに合わせたくつ下とし、履きやすく、かつ、前傾姿勢を維持して使用者の負担を軽減させることを目的とする。【解決手段】本発明の靴下は、足首以上を被う脚部と、脚部の下方に編成され踵を被う袋状に形成された踵部と、脚部及び踵部に連続し、足の爪先に向かって編成された足部とを備える靴下であって、踵部が脚部及び足部と隣接する境界領域の少なくとも半周をタック編みで鹿の子状態にした帯状領域を形成することを特徴とする。【選択図】図１
2020158898.tif 000002
【特許請求の範囲】
【請求項１】
足首以上を被う脚部と、前記脚部の下方に編成され踵を被う袋状に形成された踵部と、前記脚部及び前記踵部に連続し、足の爪先に向かって編成された足部とを備える靴下であって、前記踵部が前記脚部及び前記足部と隣接する境界領域の少なくとも半周をタック編みで鹿の子状態にした帯状領域を形成することを特徴とする靴下。
【請求項２】
前記帯状領域は、弾性糸とともにタック編みにより編成してなることを特徴とする請求項１に記載の靴下。
【請求項３】
前記帯状領域は、少なくとも３回コース以上弾性糸とともにタック編みにより編成してなることを特徴とする請求項１に記載の靴下。
【請求項４】
前記帯状領域は、平編み状態でタック編みされたものであることを特徴とする請求項１ないし３のいずれかに記載の靴下。
【発明の詳細な説明】
【技術分野】
【０００１】
本発明は、フィット性に優れる靴下に係り、特に、踵部付近の生地のずれを効果的に防止することができる靴下に関する。
【従来の技術】
【０００２】
靴下は、上端周縁の口ゴム部にゴム糸等を編み込んで、脚部を締め付けることにより、ずり落ちを防止している。しかし、口ゴム部にゴム糸等を挿入するのみでは、保持力として十分ではないため、ある程度長時間の歩行を行うと、靴下全体が下方にずり落ちてしまう。そこで、例えば、口ゴム部の上下方向の幅を通常よりも広く設計したり、口ゴム部の位置より僅かに下がった位置に更にゴム糸を編み込むこと等したりすることにより、ずり落ち防止を図った靴下が種々提案されている。
【０００３】
しかしながら、上記した従来の靴下では、口ゴム部の締め付け力はある程度強化できても、踵部や踵部から足先部に至る部分の生地のずれや弛みの発生を防止できないため、やはりフィット性が悪いという問題があった。また、従来の靴下では、口ゴム部のずり落ちはある程度防止できても、踵部や踵部から足先部に至る部分の生地のずれや弛みの発生は防止することができない。
【０００４】
特許文献１に係る発明は、口ゴム部・脚部・踵部・足甲部・足底部・爪先部に表糸と裏糸都を用いて編成した短靴下において、踵部を相対的に大きい面積に編成し、踵部上部に隣接する足首部と踵部下部に隣接する足甲部・足底部に弾性糸を裏糸として編成した短靴下を提案している。
【先行技術文献】
【特許文献】
【０００５】
【特許文献１】実用新案登録第３０８８２７３号公報
【発明の概要】
【発明が解決しようとする課題】
【０００６】
ところが、特許文献１に係る靴下は、単に踵を覆う袋を大きくし弾性糸で一部補強し伸縮の自由度を高めているが、例えば、スポーツ選手の前傾姿勢と足の踏み出しの動きに対して伸縮の高さが逆に靴下のずれにつながるという問題を残している。
【０００７】
本発明は、このような問題に鑑み、脚部の前傾姿勢を基本にすることの多いスポーツを行う際に、足の形状とその動き、働きに合わせたくつ下とし、履きやすく、かつ、前傾姿勢を維持して使用者の負担を軽減させることを目的とする。
【課題を解決するための手段】
【０００８】
上記問題を解決するために、本発明の靴下は、足首以上を被う脚部と、脚部の下方に編成され踵を被う袋状に形成された踵部と、脚部及び踵部に連続し、足の爪先に向かって編成された足部とを備える靴下であって、踵部が脚部及び足部と隣接する境界領域の少なくとも半周をタック編みで鹿の子状態にした帯状領域を形成することを特徴とする。
【０００９】
帯状領域は、弾性糸とともにタック編みにより編成することが好ましい。ゴム糸等弾性糸と一緒に鹿の子タック編みすることで縦方向に幅を作りながら縦横方向への伸縮を抑制することができる。なお、少なくとも３回コース以上弾性糸とともにタック編みにより編成すると好適である。また、帯状領域は、平編み状態でタック編みすると効果的である。
【発明の効果】
【００１０】
本発明に係る靴下は、踵部と脚部及び足部との境界領域をゴム糸等弾性糸と一緒に鹿の子タック編みすることで縦方向に幅を作りながら縦横方向への伸縮を抑制することが可能となり、踵にフィットすることでズレを防止しズレの抑制効果を上げ使用者のスポーツパフォーマンスの向上につながるという効果がある。
【図面の簡単な説明】
【００１１】
【図１】図１（ａ）は、本発明に係る靴下の非着用状態における図で、（ｂ）は着用時の背面図で、（ｃ）着用時の底面図である。
【図２】鹿の子タック編みを示す図である。
【発明を実施するための形態】
【００１２】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【実施例１】
【００１３】
実施例１を図面を参照して詳細に説明する。
【００１４】
まず、靴下１の全体構成を説明する。図１（ａ）は、本発明に係る靴下の非着用状態における図で、（ｂ）は着用時の背面図で、（ｃ）着用時の底面図である。図１に示すとおり、靴下１は、大別すると、足首以上を被う脚部１０と、踵部２０，足の爪先に向かって編成された足部３０が設けられており、脚部１０の上方に開口１００が形成されている。靴下１は、綿、ナイロン糸等の繊維を公知の方法で編成することができる。
【００１５】
踵部２０は、脚部１０及び足部３０と隣接する境界領域の少なくとも半周をタック編みで鹿の子状態にした帯状領域２１（斜線で示している）を形成している。
帯状領域２１は、弾性糸とともにタック編みにより編成することが好ましい。ゴム糸等弾性糸と一緒に鹿の子タック編みすることで縦方向に幅を作りながら縦横方向への伸縮を抑制することができる。なお、少なくとも３回コース以上弾性糸とともにタック編みにより編成すると好適である。また、帯状領域は、平編み状態でタック編みすると効果的である。
【００１６】
図２を参照して鹿の子タック編みを説明する。タック編みとは、生地を編成するときに、一時編み目を作らないで、次のコースを編むときに一緒に編み目を作るもので、編み針から編み目を脱出させず、針のフック又は針幹の前の編み目とともに保持し、次の給糸により編み目を形成するときに同時に二つの編み目をくぐって編糸を引き出して新しい編み目を作るものである。
なお、図２は、図に向かって上側がかかと側、下側をつま先側として示している。
鹿の子タック編みをすることで靴下を着用したときの縦方向に幅を作ることができる。なお、１コース目も２コース目も同じ目をタックすることはできるが、同じところで目がつぶれ縦方向に幅が作れなくなってしまう。そこで、ゴム糸等弾性糸と一緒に鹿の子タック編みすることで縦方向に幅を作りながら縦横方向への伸縮を抑制することができる。このような靴下の編成により、踵を最小限の伸縮によりズレを防止することができる。
【００１７】
以上、本発明に係る靴下における好ましい実施形態を図示して説明してきたが、本発明の技術的範囲を逸脱することなく種々の変更が可能であることは理解されるであろう。
【産業上の利用可能性】
【００１８】
本発明に係る靴下は、特にスポーツ用の靴下として優れているが、カジュアル用の靴下としても広く利用することができる。
【符号の説明】
【００１９】
１  靴下
１０  脚部
１００  開口
２０  踵部
２１  帯状領域
３０  足部
【図１】
2020158898.tif 000003
【図２】
2020158898.tif 000004